(57)【特許請求の範囲】
【請求項１】
雄部材が頭部及び軸部を有し、雌部材が筒形胴部及び該胴部の上外周に張り出したフランジ部並びに該胴部下端に上下スリットを介して略筒状に配された複数の弾性脚片を有し、前記雄・雌部材が、前記軸部の前記胴部内への押し入れによって仮止め態様となり、前記軸部の更なる押し入れによって前記脚片を拡径して前記フランジ部との間に部材を挟み込む本止め態様となるクリップにおいて、
前記軸部の周囲１８０度変位した箇所に突出した対のリブ、及び前記リブと略９０度変位した箇所に突出したリブと、
前記胴部の上下貫通した筒孔内面に設けられて前記上下スリットと連通しているリブ案内用の上下溝と、
前記雌部材と前記雄部材との間に設けられ、前記脚片が拡径した状態から元の縮径した状態への変位を許容する位置に前記雄部材の動きを規制保持する保持手段とを有し、
更に、前記保持手段は、前記胴部の筒孔内面にあって前記上下溝同士の間に設けられた突起の上端にて形成される段差部、及び前記軸部の周囲に設けられて上下の軸部分より一段張り出して前記段差部と係脱する凸部からなる構成、又は／及び、前記軸部先端側に設けられて前記周囲１８０度変位した箇所に突出した対のリブと前記リブと略９０度変位した箇所に突出したリブとで区画される各リブ同士の間の空間部に配された弾性変形可能な複数の突出片からなり、前記各突出片で形成される膨出部の最大外径が前記拡径した脚片先端同士の間の最大内径より大きく形成されている構成であることを特徴とするクリップ。
【請求項２】
パネルに取付部材を取り外し可能に固定する場合に用いられ、雄部材が頭部及び軸部を有し、雌部材が筒形胴部及び該胴部の上外周に張り出したフランジ部並びに該胴部の下端に上下スリットを介して略筒状に配された複数の弾性脚片を有し、前記雄・雌部材が、前記軸部の前記胴部内への押し入れによって仮止め態様となり、前記軸部の更なる押し入れによって前記脚片を拡径して前記フランジ部との間にパネル及び取付部材を挟み込む本止め態様となるクリップにおいて、
前記フランジ部の下面に突設されて前記雌部材を前記取付部材に単独で取付可能にする係合爪部と、
前記軸部の周囲１８０度変位した箇所に突出した対のリブ、及び前記リブと略９０度変位した箇所に突出したリブと、
前記胴部の上下貫通した筒孔内面に設けられて前記上下スリットと連通しているリブ案内用の上下溝と、
前記雌部材と前記雄部材との間に設けられ、前記脚片が拡径した状態から元の縮径した状態への変位を許容する位置に前記雄部材の動きを規制保持する保持手段とを有し、
更に、前記保持手段は、前記胴部の筒孔内面にあって前記上下溝同士の間に設けられた突起の上端にて形成される段差部、及び前記軸部の周囲に設けられて上下の軸部分より一段張り出して前記段差部と係脱する凸部からなる構成、又は／及び、前記軸部先端側に設けられて前記周囲１８０度変位した箇所に突出した対のリブと前記リブと略９０度変位した箇所に突出したリブとで区画される各リブ同士の間の空間部に配された弾性変形可能な複数の突出片からなり、前記各突出片で形成される膨出部の最大外径が前記拡径した脚片先端同士の間の最大内径より大きく形成されている構成であることを特徴とするクリップ。
【発明の詳細な説明】
【０００１】
【発明の属する技術分野】
本発明は、複数の部材を連結したり、パネルに取付部材を固定するような場合に好適なクリップに関するものである。
【０００２】
【従来の技術】
図６は実公平６−４５００４８号記載のクリップを示している。このクリップは雄部材３０及び雌部材３６からなり、例えば、パネル４０に取付部材４５を固定するようなときに用いられる。雌部材３６は、筒形胴部３７及び胴部３７の上外周から張り出したフランジ部３８並びに胴部３７の下端から略筒状に配された複数の弾性脚片３９を有している。雄部材３０は、頭部３１、軸部３２、先端部３３を一体に形成し、軸部３２と先端部３３との間に設けられた仮止め用凹部３４と、凹部３４の上側に設けられた本止め用係止部３５とを有している。
【０００３】
そして、雄部材３０は、雌部材３６に対し軸部３２が胴部３７内から脚片３９同士の内側中空部に挿入され、先端部３３が脚片３９を貫通すると、各脚片３９が凹部３４と係合し同（ｂ）の如く仮止め態様となる。クリップは該仮止め態様で搬送など一体物として取り扱われる。使用時には同（ｂ）の如くパネル４０及び取付部材４５の各取付孔４０ａ，４５ａに共通に差し込まれる。雄部材３０は、軸部３２の更なる押し入れにより前記係合を解除した後、脚片３９が凹部３４の上側に位置する係止部３５の径大周囲により拡径されつつ係止部３５と係合すると、同（ａ）の如く脚片３９の拡径部分とフランジ部３８との間にパネル４０及び取付部材４５を挟み込んで取付部材４５をパネル４０に固定する本止め態様となる。修理等で取付部材４５をパネル４０から外す場合には、例えば、雄部材３０の頭部３１の下側に工具を差し込んで、脚片３９と係止部３５の係合力に抗し雄部材３０を引き抜いて同（ｂ）の仮止め態様にし、雄・雌部材３０，３５を取付孔４０ａ，４５ａから一体物として引き抜くが、多数のクリップが使用されている場合には各クリップを仮止め態様にした後、取付部材４５をパネル４０から離間操作して全てのクリップを取付孔４０ａから同時に引き抜くことになる。
【０００４】
【発明が解決しようとする課題】
上記のようなクリップは樹脂成形品であり、脚片３９が長期間、拡径した状態にされると、樹脂弾性が損なわれ、雄部材３０を少し引き抜いて本止め態様から仮止め位置にしても、初期形状に復元されなく、同（ｃ）の如く脚片３９が拡径されたままの状態になり易い。そのような事態になると、上述した如く多数のクリップを順に仮止め位置まで引き抜いてから、取付部材４５をパネル４０から離間操作するときに次のような不具合を生じる。
即ち、同図の如くクリップが下向きの状態で使用されている場合には、雄部材３０を工具などにて仮止め位置まで引き抜き該引き力を解放すると、雄部材３０は同（ｄ）の如く係止部３５の径大付近が拡径した脚片３９に引っ掛かるまで自重により下へ落ち込むため、取付部材４５を上に持ち上げたとしても脚片３９の先端が係止部３５の径大部分に当たって縮径方向への移動が規制されて、パネル４０から離間できないか、取付部材４５に対する過大な持ち上げ力が必要となる。
また、クリップが図６を天地逆転した上向きの状態で使用されている場合には、雄部材３０が本止め態様から工具などで引き抜き操作されるとき、同（ｃ）の仮止め位置から更に引き出されて、雌部材３６から離れ落下されることも多い。これは、先端部３３の形状が雌部材３６内への挿入性を維持するため、脚片３９の拡径した先端同士の最大内径よりも小さく形成されているためである。なお、同（ｂ）の如く脚片３９が正常に縮径している場合は取付部材４５から抜け落ちる。本発明は以上のような課題を解消して使い勝手を向上することを目的としている。
【０００５】
【課題を解決するための手段】
上記目的を達成するため請求項１の本発明は、図１〜図５に例示される如く、雄部材１０が頭部１１及び軸部１２を有し、前記雌部材２０が筒形胴部２１及び該胴部２１の上外周に張り出したフランジ部２２並びに該胴部２１の下端に上下スリット２５を介して略筒状に配された複数の弾性脚片２４を有し、前記雄・雌部材１０，２０が、前記軸部１２の前記胴部２１内への押し入れによって仮止め態様となり、前記軸部１２の更なる押し入れによって前記脚片２４を拡径して前記フランジ部２２との間に部材１，２を挟み込む本止め態様となるクリップにおいて、前記軸部１２の周囲１８０度変位した箇所に突出した対のリブ１６、及び前記リブと略９０度変位した箇所に突出されているリブ１７ｂと、前記胴部２１の上下貫通した筒孔内面に設けられて前記上下スリット２５と連通しているリブ案内用の上下溝２８と、前記雌部材２０と前記雄部材１０との間に設けられ、前記脚片２４が拡径した状態から元の縮径した状態への変位を許容する位置に前記雄部材１０の動きを規制保持する保持手段３Ａ又は／及び３Ｂとを有し、更に、前記保持手段は、前記胴部２１の筒孔内面にあって前記上下溝同士の間に設けられた突起２７の上端にて形成される段差部２７ａ、及び前記軸部の周囲に設けられて上下の軸部分より一段張り出して前記段差部と係脱する凸部１５からなる構成、又は／及び、前記周囲１８０度変位した箇所に突出した対のリブ１６と前記リブと略９０度変位した箇所に突出したリブ１７ｂとで区画される各リブ同士の間の空間部に配された弾性変形可能な複数の突出片からなり、前記各突出片で形成される膨出部１３の最大外径が前記拡径した脚片先端同士の間の最大内径より大きく形成されている構成であることを特徴としている。
このクリップ構造では、脚片２４が拡径した状態で弾性を減衰し仮止め態様にしたときに当初の形状に縮径しなくなったとしても、保持手段３Ａ又は／及び３Ｂの作動によって、例えば、図３（ｂ），（ｃ）の如く軸部１２を仮止め位置まで引き抜き、部材２を部材１から離間すると拡径した脚片１２を取付孔１ａなどから受ける応力で縮径可能となり、従来の問題を解消できる。ここで、保持手段３Ａは、特に部材１，２に対しクリップが図３の例の如く上から下向きに配されるときに有効となり、保持手段３Ｂはクリップが図３を天地逆転して下から上向きに配されるときに有効となる。
【０００６】
また、請求項２の発明は、パネル１に取付部材２を取り外し可能に固定する場合に上記クリップを用いるときに特定したものであり、前記フランジ部２２の下面に突設されて前記雌部材２０を前記取付部材２に単独で取付可能にする係合爪部２９と、前記軸部１２の周囲１８０度変位した箇所に突出した対のリブ１６、及び前記リブと略９０度変位した箇所に突出されているリブ１７ｂと、前記胴部２１の上下貫通した筒孔内面に設けられて前記上下スリット２５と連通しているリブ案内用の上下溝２８と、前記雌部材２０と前記雄部材１０との間に設けられ、前記脚片２４が拡径した状態から元の縮径した状態への変位を許容する位置に前記雄部材１０の動きを規制保持する保持手段３Ａ又は／及び３Ｂとを有し、更に、前記保持手段は、前記胴部２１の筒孔内面にあって前記上下溝同士の間に設けられた突起２７の上端にて形成される段差部２７ａ、及び前記軸部の周囲に設けられて上下の軸部分より一段張り出して前記段差部と係脱する凸部１５からなる構成、又は／及び、前記周囲１８０度変位した箇所に突出した対のリブ１６と前記リブと略９０度変位した箇所に突出したリブ１７ｂとで区画される各リブ同士の間の空間部に配された弾性変形可能な複数の突出片からなり、前記各突出片で形成される膨出部１３の最大外径が前記拡径した脚片先端同士の間の最大内径より大きく形成されている構成であることを特徴としている。
このクリップ構造では、上記した保持手段３Ａ又は／及び３Ｂの作用に加えて、雌部材２０が係合爪部２９を介し取付部材２に単独で取り付けられることにより、前述のように取付部材２をパネル１から離間した後にも、雄・雌部材１０，２０が常に取付部材２に保持されて以後の取り扱いを容易にする。これは、取付部材１がパネル１に対し多数のクリップを使用して固定されるときに作業性を大きく改善できることに意義がある。
【０００７】
以上の各発明は次のような利点も有している。
第１に、前記保持手段３Ａにおいて、段差部２７ａ及び凸部１５は、単純な形状でよく、凸部１５が軸部１２の雌部材２０内への押し入れ方向から段差部２７ａに係合することにより、図３（ｂ）の例において、脚片２４が拡径した状態で弾性を減衰し当初の形状に縮径しなくなったとしても、脚片２４が仮止め位置に引き抜かれたときに雄部材１０の下移動を防ぐ。
第２に、前記保持手段３Ｂにおいて、膨出部１３は、各脚片２４の先端２４ａ同士の間の最大内径より大きいことから、各脚片２４の先端２４ａ同士の間を一旦貫通されると、脚片２４が拡径した状態で弾性を減衰し当初の形状に縮径しなくなったとしても、例えば、図３（ｂ）を天地逆転した状態において、脚片２４が仮止め位置に引き抜かれたときに雄部材１０の下移動を防ぐ。
第３に、前記膨出部１３が弾性変形可能な複数の突出片からなる。これは、 以下の形態例の如く突出片の形状を先端から上向きに拡大するよう傾斜する等工夫することにより、膨出部１３つまり複数の突出片が胴部２１内や脚片２４同士の間や、取付孔１ａに弾性縮径しつつ押し入れられる作用と、図３（ｃ）の如く取付孔１ａから弾性縮径しつつ引き抜かれる作用とを充足容易にすることに意義がある。
第４に、前記軸部１２が軸部の周囲１８０度変位した箇所に突出した対のリブ１６を有し、該リブ１６が前記胴部２１に設けた上下溝２８から脚片２４間の上下スリット２５へ挿入される。これは、軸部１２が雌部材２０の胴部２１及び脚片２４同士の間の内側へ押し入れるときにリブ１６と上下溝２８との嵌合つまりガイド作用を伴って行われるようにする。加えて、リブ１６と上下溝２８とは、雄部材１０と雌部材２０との相対的な位置を確定して、前記した保持手段３Ａや３Ｂの係合状態を確実に得られるよう機能する。
【０００８】
【発明の実施の形態】
以下、本発明の好適な形態を添付図面に基づいて詳細に説明する。図１はクリップを構成している雄部材と雌部材との関係を示す概略外観図である。図２（ａ）は前記クリップを仮止め態様で、図２（ｂ）は本止め態様でそれぞれ示す断面図である。図３（ａ）〜（ｃ）は取付部材をパネルから離間して外すときの上記クリップの作用を示している。なお、図２及び図３のクリップは雌部材が図４（ａ）のＣ−Ｃ線に沿って断面された状態である。図４は雌部材単品を示し、同（ａ）は上から見た図、同（ｂ）は（ａ）のＡ−Ａ線に沿って一部を破断した側断面図、同（ｃ）は（ａ）のＢ−Ｂ線に沿って一部を破断した側断面図、同（ｄ）は下から見た図である。図５は雄部材単品を示し、同（ａ）は正面図、同（ｂ）は側面図、同（ｃ）は下から見た図、同（ｄ）は（ａ）のＤ−Ｄ線断面図、同（ｅ）は（ａ）のＥ−Ｅ線断面図、同（ｆ）は（ａ）のＦ−Ｆ線断面図である。
【０００９】
形態例のクリップは、樹脂成形品である雄部材１０及び雌部材２０からなる点、雄部材１０が頭部１１及び軸部１２を有している点、雌部材２０が胴部２１、フランジ部２２、略筒状に配された複数の脚片２４を有している点、雄・雌部材１０，２０が軸部１２の脚片２４同士の内側への押し入れよって仮止め態様となり、軸部１２の更なる押し入れによって脚片２４を拡径した本止め態様となる点で従来と同じ。改良した点は、特に、雌部材２０が取付部材２に係合爪部２９を介して単独で取り付けられること、仮止め態様において脚片２４が拡径しているときに雄部材１０の上下動を規制保持する保持手段３Ａ，３Ｂを有した構造等にある。以下の説明では、雄・雌部材１０，２０の各部材構造を基本作動と共に明らかにし、その後、要部作動に言及する。
なお、この形態例は、作図上、それぞれ一個のクリップだけを示しているが、実際には複数のクリップを用いて取付部材２をパネル１に複数箇所で固定するようになっている。パネル１には使用クリップに応じた数だけ取付孔１ａが設けられている。取付部材２には、取付孔１ａに対応する取付孔２ａと、後述する係合爪部２９に対応した貫通孔２ｂとが設けられている。
【００１０】
（雄部材）形態例の雄部材１０は、図１と図５に示される如く略円盤状の頭部１１に対し軸部１２を頭部１１の下面から垂直に突設している。この軸部１２は、頭部１１の下面から先端に向けて、第１軸部分１２ａ、第２軸部分１２ｂ、第３軸部分１２ｃ、傾斜軸部分１２ｄ、第４軸部分１２ｅ、先端部１２ｆを順に配置している。また、軸部１２には、先端部１２ｆから上向きに設けられた膨出部１３と、周囲１８０度変位した箇所にあって頭部１１の下から先端部１２ｆまで連続して突出形成された対の上下連続リブ１６と、各上下連続リブ１６から略９０度変位した箇所にあって第１軸部分１２ａの周囲面に突出形成された上短リブ１７ａ（１７）及び、傾斜軸部分１２ｄと先端部１２ｆとの間に突出形成された下短リブ１７ｂ（１７）とを有している。
【００１１】
軸部１２のリブ１６，１７を除く外径は、第２軸部分１２ｂが最大径Ｌ2、第４軸部分１２ｅが最小径Ｌ4であり、第１軸部分１２ａの径Ｌ1が第３軸部分１２ｃの径Ｌ3よりも小径となっていて、第２軸部分１２ｂの径Ｌ2＞第３軸部分１２ｃの径Ｌ3＞第１軸部分１２ａの径Ｌ1＞第４軸部分１２ｅの径Ｌ4に設定されている。傾斜軸部分１２ｄは、第３軸部分１２ｃの下側を一回り径大にし、該径大部１４から第４軸部分１２ｅに向けて次第に低くなるよう傾斜されている。径大部１４と第３軸部分１２ｃとの間には、本止め態様において脚片２４の先端と係合する係合段部１４ａが形成されている。対の上下連続リブ１６は、図５（ｂ）の如く最大径の第２軸部分１２ｂよりも外へ張り出す高さのリブであり、下端が先端部１２ｆの丸味に沿って傾斜している。上短リブ１７ａ及び下短リブ１７ｂは、図５（ａ）の如く第３軸部分１２ｃの外径と同じ高さのリブで、上下連続リブ１６よりも若干低く形成されている。従って、軸部１２の周囲は、第３軸部分１２ｃを除いて、対の上下連続リブ１６及び対の上下短リブ１７ａ，１７ｂにより横断面が略十の字に対応して区画されている。そして、第４軸部分１２ｅの周囲には、対の上下連続リブ１６及び対の下短リブ１７ｂにより区画された４つの係合凹所１８が形成されている。この係合凹所１８は、仮止め態様において脚片２４の先端と係合する箇所となる。
【００１２】
ここで、第２軸部分１２ｂは、両上下連続リブ１６で周囲を２等分されると共に、第１軸部分１２ａ及び第３軸部分１２ｃから見ると一段張り出した凸部１５を形成している。この凸部１５は、後述する雌部材２０の段差部２７ａと係合して、図３（ｂ）の状態で雄部材１０の雌部材２０内への落ち込みを阻止する。要は凸部１５及び段差部２７ａにより本発明の一方の保持手段３Ａを構成している。
また、膨出部１３は、先端部１２ｆの第４軸部分１２ｅ側に位置する端面から上向きに突設された弾性変形可能な４つの突出片から構成されている。各突出片は、図５（ｆ）の如く上下連続リブ１６と下短リブ１７ｂとで区画される各リブ同士の間の空間部に位置し、図５（ａ）の如く中間部が先端部１２ｆより一回り外側に張り出し、上側１３ａが第４軸部分１２ｅの方向へ傾斜されている。この膨出部１３つまり各突出片は、各突出片で形成される最大外径が図３（ｂ）の如く拡径した各脚片２４の先端同士の間の最大内径よりも大きく形成されおり、胴部２１及び脚片２４同士の内側に弾性縮径しながら挿通され、脚片２４同士の先端から一旦突出されると拡径した初期状態に復元される。そして、この膨出部１３は、図３（ｂ）を天地逆転したときに雄部材１０の雌部材２０からの抜け落ちを阻止する。要は本発明のもう一方の保持手段３Ｂを構成している。
【００１３】
（雌部材）形態例の雌部材２０は、図１と図４に示される如くフランジ部２２を胴部２１の上外周に鍔状に設け、４個の脚片２４を胴部２１の下端に上下スリット（隙間と同じ）２５を介して略円筒状に配置している。胴部２１は、上下貫通した筒孔内面にあって、対向した２つの突起２７と、対向した２つの上下溝２８とを互いに略十字形の関係となるよう形成している。各上下溝２８は、脚片２４同士の間の上下スリット２５のうち、１８０度ずれた２箇所の上下スリット２５と連通していて、軸部１２が胴部２１内に挿通されるとき、各上下連続リブ１６と嵌合し当該リブ１６をここから対応する上下スリット２５内に入るよう案内する。各突起２７は、胴部２１の筒孔内面にあって、上下溝２８同士の間の内面、つまり上下連続リブ１６が嵌合しない残りの２箇所の上下スリット２５の真上に位置し、上端に傾斜した段差部２７ａを形成している。この段差部２７ａは、凸部１５と共に本発明の一方の保持手段３Ａを構成し、図３（ｂ）の如く凸部１５と係合して雄部材１０の雌部材２０内への落ち込みを阻止する。
【００１４】
フランジ部２２は、頭部１１を収容する凹部２３と、凹部２３内にあって胴部２１の筒孔を縁取っているリング形の縁取り部２６と、下面側に突設された係合爪部２９とを形成している。縁取り部２６には頭部１１が密に当接される。係合爪部２９は、図４の如く胴部２１の左右２箇所に突設されていて、先端に掛止め爪２９ａを有し、図２の如く取付部材２に対し雌部材２０を単独で取付可能にする。各脚片２４は、上下スリット２５を介し独立した揺動片に形成されている。上下スリット２５の幅は、上下連続リブ１６に対応した寸法に設定され、当該リブ１６が挿入可能になっている。各脚片２４の先端２４ａは筒中心に絞られてその端面に掛止め爪を形成している。
【００１５】
（作動）以上のクリップの使い方は、雄部材１０が雌部材２０に対し軸１２を胴部２１及び脚片２４同士の内中空部に押し入れられて、図２（ａ）の如く４つの脚片２４の先端２４ａが対応する係合凹所１８と係合した仮止め態様となり、更に押し入れられると図２（ｂ）の如く各脚片２４の先端２４ａが係合段部１４ａと係合した本止め態様となって、脚片２４の拡径部分とフランジ部２２との間に取付部材２及びパネル１を挟み連結、又は、取付部材２をパネル１に固定する点で、従来と同じ。この基本作用において、従来と異なることは次の点にある。
ア）、雌部材２０が取付部材１に対し係合爪部２９を介し単独でも取り付けることができる。このため、この構造では、例えば、複数のクリップについて、雄・雌部材１０，２０の仮止め態様から、貫通孔２ｂと係合爪部２９との係合を介し取付部材２に取り付ける。その後、取付部材２をパネル１に位置決め配置することにより各クリップを同時に図２（ａ）の状態、つまり雌部材２０の脚片２４をパネル１の取付孔１ａに挿通した後、各雄部材１０に押し込め力を加えて図２（ｂ）の本止め態様にすることができる。
イ）、図１の状態から雄部材１０の軸部１２を雌部材２０内に入れる際、上下連続リブ１６が胴部２１内の対応する上下溝２８と嵌合され、軸部１２が該嵌合を伴って胴部２１及び脚片２４同士の間に押し入れられる。このため、この構造では、雄部材１０を仮止め態様へ押し入れる操作、雄部材１０を更に本止め態様まで押し入れる操作、本止め態様の係合を解除したり、仮止め位置まで雄部材１０を相対的に引き抜く操作を、上下連続リブ１６と胴部２１の上下溝２８との嵌合つまり案内作用を伴ってスムースに行うことができる。
ウ）、この構造では、上述した上下連続リブ１６と上下溝２８の嵌合により雄・雌部材１０，２０同士の周方向の移動（相対的に回転しようとする動き）が阻止されるため、次の保持手段３Ａ，３Ｂの作動も確実に得られること、段差部２７ａを形成している突起２７をこの形態の如く部分的に形成しても凸部１５と確実に係合できる等の利点を具備できる。
【００１６】
ここで、図３は、取付部材２をパネル１から外すときの操作要領と作動を模式的に示している。実際には取付部材２がパネル１に複数のクリップにて固定されている。各クリップは、時間経過により雌部材２０の脚片２４が樹脂弾性を減衰し、雄部材１０が本止め態様から仮止め位置まで引き抜かれても拡径状態を維持し弾性縮径されない状態となっている。
エ）、図３（ａ）と（ｂ）は、各クリップについて、雄部材１０が雌部材２０に対し脚片２４を縮径可能な位置、つまり仮止め位置まで引き抜く操作を示している。この場合には、頭部１１の下側に工具などを差し込み図３（ａ）の如く雄部材１０が脚片先端２４ａと係合段部１４ａとの係合力に抗し、また、途中では凸部１５が段差部２７ａを形成している突起２７を乗り越えるときの抵抗に抗して抜き操作され、図３（ｂ）の如く脚片２４が縮径可能な位置まで上移動される。このときには、雄部材１０が過大な引き抜き力を受けることもあり、その場合に従来構造だと雄部材の軸部が雌部材から完全に抜かれることもあったが、この構造では軸部１２の先端に設けられた膨出部１３（保持手段３Ｂ）が拡径した脚片先端２４ａに当たるためそのような不具合は生じない。
【００１７】
オ）、雄部材１０は、以上の引き抜き操作において、引き抜き力が解放されると、図３（ｂ）の如く凸部１５が段差部２７ａに係合（保持手段３Ａ）してそれ以上、下方向へ移動されないよう規制保持される。この保持手段３Ａの規制保持は、従来の図６（ｄ）の如く雄部材３０が拡径された脚片３９の先端部に当たるまで下方向へ落ち込むことを防ぐことを意味する。そして、この構造では、図３（ｂ）の状態から、取付部材２をパネル１から離間する矢印方向へ持ち上げると、脚片２４が取付孔１ａの内周から受ける内向き応力により図３（ｃ）の如く強制縮径されつつ取付孔１ａから外れ、続いて膨出部１３つまり突出片が取付孔１ａを弾性縮径しつつ通り抜ける。これにより、各クリップが取付部材２の離間操作によりパネル１の取付孔１ａから同時に外れるため、取付部材２の取り外し操作を迅速に行える。
カ）、取付部材２とパネル１は図３を天地逆転した状態となる仕様もある。その場合には、図３（ｂ）を天地逆にした状態において、雄部材１０の引き抜き力が解放されると、膨出部１３つまり突出片（保持手段３Ｂ）が脚片２４の先端２４ａ同士の間の最大内径よりも大きいことから該先端２４ａに当たり、雌部材２０からそれ以上、下方向へ移動されないよう規制保持される。このため、この構造では、そのような仕様においても、取付部材２をパネル１から離間する下方向へ押し下げると、脚片２４が取付孔１ａの内周から受ける内向き応力により強制縮径されつつ取付孔１ａから外れ、続いて膨出部１３つまり突出片が取付孔１ａを弾性縮径しつつ通り抜ける。即ち、オ）に記載したと同様な利点を具備できる。
【００１８】
なお、本発明は請求項で特定される技術要素を備えておればよく、例えば、脚片２４や上下スリット２５の個数、膨出部１３の具体的な形状等、色々変形可能なものである。
【００１９】
【発明の効果】
以上説明したとおり、本発明のクリップにあっては、雌部材の脚片が拡径した状態で弾性を減衰し仮止め態様にしたときに当初の形状に縮径しなくなったとしても、保持手段の作動によって、雄部材の軸部を仮止め位置まで引き抜いた後、例えば、取付部材をパネルから離間すると拡径した脚片が縮径可能となり、従来の問題を解消できる。この場合、請求項２の如く雌部材が係合爪部を介し取付部材に単独で取り付けられるようにすると、前述した例の如く取付部材をパネルから離間した後にも、雄・雌部材が常に取付部材に保持され、以後の取り扱いを容易にして作業性を改善できる。
【図面の簡単な説明】
【図１】  本発明形態のクリップである雄・雌部材を示す概略外観図である。
【図２】  上記クリップを仮止め態様と本止め態様で示す模式断面図である。
【図３】  上記クリップを用いたときの利点を示す作用断面図である。
【図４】  上クリップの雌部材単品を示す図である。
【図５】  上記クリップの雄部材単品を示す図である。
【図６】  従来クリップの問題を説明するための図である。
【符号の説明】
１…パネル（部材、１ａは取付孔）
２…取付部材（部材、２ａは取付孔）
１０…雄部材
１１…頭部
１２…軸部
１３…膨出部（保持手段３Ｂ）
１５…凸部（保持手段３Ａ）
１６…上下連続リブ
２０…雌部材
２１…胴部
２２…フランジ部
２４…脚片
２７…突起
２７ａ…段差部（保持手段３Ａ）
２２…フランジ部
２４…脚片
２５…上下スリット（隙間）
２８…上下溝
２９…係合爪部
【図１】
0004630438.tif 000002
【図２】
0004630438.tif 000003
【図３】
0004630438.tif 000004
【図４】
0004630438.tif 000005
【図５】
0004630438.tif 000006
【図６】
0004630438.tif 000007